(57)【要約】【課題】空燃比センサが劣化した状態を考慮した制御変数の適合作業を、低コストかつ高精度に行えるようにする。【解決手段】新品の空燃比センサを機関に装着した状態で空燃比フィードバック制御を行わせ、燃料噴射弁から空燃比センサまでのプラントモデルを同定する。一方、機関負荷・回転速度毎に基準の空燃比センサを用いたときの同定パラメータを記憶しておき、実際の空燃比センサについて求めた同定パラメータと基準の空燃比センサにおける同定パラメータとの比から、劣化特性を擬似的に与えるための補正特性を修正する。そして、前記修正された補正特性で空燃比センサの検出信号を補正して、要求の劣化度合いに見合う応答遅れを生じさせる。【選択図】  図４
2004308488.tif 000002
【特許請求の範囲】
【請求項１】
内燃機関の排気通路に備えられる空燃比センサの擬似劣化信号発生装置であって、
要求の劣化度合い毎に前記空燃比センサの検出信号の補正特性を予め記憶する一方、前記空燃比センサの過渡応答と基準の空燃比センサの過渡応答との比較結果に基づいて前記補正特性を修正し、該修正され補正特性で前記空燃比センサの検出信号を補正することで、前記要求の劣化度合いに対応する過渡遅れを強制的に生じさせることを特徴とする空燃比センサの擬似劣化信号発生装置。
【請求項２】
前記基準の空燃比センサの過渡応答が、機関負荷及び機関回転速度を変数として予め記憶されることを特徴とする請求項１記載の空燃比センサの擬似劣化信号発生装置。
【請求項３】
前記空燃比センサの過渡応答を、機関に燃料を噴射する燃料噴射弁から前記空燃比センサまでを制御対象としたプラントモデルを、空燃比制御信号と前記空燃比センサの検出信号に基づいて同定することで求めることを特徴とする請求項１又は２記載の空燃比センサの擬似劣化信号発生装置。
【発明の詳細な説明】
【０００１】
【発明の属する技術分野】
本発明は、空燃比センサが劣化した状態での検出信号を擬似的に発生させる擬似劣化信号発生装置に関する。
【０００２】
【従来の技術】
従来から、内燃機関の排気中の酸素濃度に基づいて燃焼混合気の空燃比を検出する空燃比センサを排気管に設け、該空燃比センサで検出される実際の空燃比と目標空燃比との偏差に基づいて、機関への燃料供給量をフィードバック制御する空燃比フィードバック制御が知られている。
【０００３】
また、特許文献１に開示される空燃比フィードバック制御においては、空燃比センサの劣化による時定数の変化を検出し、該時定数の変化に対応して目標空燃比を変更する構成が開示されている。
【０００４】
【特許文献１】
特開平０８−１２８３４７号公報
【０００５】
【発明が解決しようとする課題】
ところで、上記のように空燃比センサの劣化時に対応する処理を最適に行わせるには、空燃比センサが劣化した状態での運転を実験的に行わせ、種々のパラメータを予め適合させる必要が生じる。
【０００６】
そこで、従来では、前記適合作業のために、劣化した状態の出力特性を示す空燃比センサを製造し、該劣化空燃比センサを機関に装着して空燃比検出を行わせるようにしていた。
【０００７】
しかし、劣化特性の空燃比センサを要求通りに製造することが難しく、劣化空燃比センサの製造コストが高くなってしまうという問題があった。
また、劣化空燃比センサを機関に装着して実験を行っている最中に、劣化空燃比センサの劣化度合いが進んでしまい、一定の劣化条件で適合作業を行わせることが困難であるという問題があった。
【０００８】
本発明は上記問題点に鑑みなされたものであり、空燃比センサが劣化した状態に対応する適合作業を、低コストにかつ精度良く行えるようにすることを目的とする。
【０００９】
【課題を解決するための手段】
そのため、請求項１記載の発明では、要求の劣化度合い毎に空燃比センサの検出信号の補正特性を予め記憶する一方、空燃比センサの過渡応答と基準の空燃比センサの過渡応答との比較結果に基づいて前記補正特性を修正し、該修正され補正特性で前記空燃比センサの検出信号を補正することで、前記要求の劣化度合いに対応する過渡遅れを強制的に生じさせる構成とした。
【００１０】
かかる構成によると、新品の空燃比センサの検出信号を補正することで、擬似的に劣化した検出信号を発生させるが、補正特性は基準の空燃比センサで適合されるため、空燃比センサの応答特性にばらつきがあると、補正後の検出信号にもばらつきが生じ、要求の劣化度合いに対して一定の過渡遅れを示す擬似劣化信号を発生させることができなくなる。
【００１１】
そこで、実際に機関に装着されている空燃比センサの過渡応答と、基準の補正特性を適合させた基準の空燃比センサの過渡応答とを比較し、過渡応答の違いに応じて基準の補正特性を修正する。
【００１２】
これにより、空燃比センサのばらつきの影響を排除して、要求の劣化度合いに対して一定の過渡遅れを示す擬似劣化信号を発生させることができる。
請求項２記載の発明では、基準の空燃比センサの過渡応答が、機関負荷及び機関回転速度を変数として予め記憶される構成とした。
【００１３】
かかる構成によると、機関の負荷・回転速度毎に基準の過渡応答が記憶され、そのときの負荷・回転速度に対応して記憶されている過渡応答と、実際に機関に装着されている空燃比センサのそのときの過渡応答とを比較することで、負荷・回転速度の影響を除いて、空燃比センサの過渡応答のばらつきを検出する。
【００１４】
請求項３記載の発明では、空燃比センサの過渡応答を、機関に燃料を噴射する燃料噴射弁から前記空燃比センサまでを制御対象としたプラントモデルを、空燃比制御信号と前記空燃比センサの検出信号に基づいて同定することで求める構成とした。
【００１５】
かかる構成によると、機関に燃料を噴射する燃料噴射弁から空燃比センサまでを制御対象としたプラントモデルを、入力としての空燃比制御信号と出力としての空燃比センサの検出信号とに基づいて同定することで、実際の空燃比センサの過渡応答を検出する。
【００１６】
【発明の実施の形態】
以下に、本発明の実施形態を添付の図面に基づいて説明する。
図１は、本発明に係る擬似劣化信号発生装置が適用される内燃機関のシステム構成図である。
【００１７】
この図１において、内燃機関１１の吸気管１２には、吸入空気流量Ｑａを計測するエアフローメータ１３及び吸入空気流量Ｑａを制御する吸気絞り弁１４が設けられる。
【００１８】
前記吸気絞り弁１４下流のマニホールド部分には、気筒毎に電磁式の燃料噴射弁１５が設けられる。
前記燃料噴射弁１５は、後述するようにしてコントロールユニット５０において設定される駆動パルス信号によって開弁駆動され、所定圧力に制御された燃料を噴射する。
【００１９】
更に、機関１１の冷却ジャケット内の冷却水温度Ｔｗを検出する水温センサ１６が設けられる。
一方、排気マニホールド１７の集合部近傍に、排気中の酸素濃度に基づいて吸入混合気の空燃比を検出する空燃比センサ１８が設けられる。
【００２０】
前記空燃比センサ１８の下流側には、理論空燃比近傍において排気中のＣＯ，ＨＣの酸化とＮＯｘの還元を良好に行って排気を浄化する三元触媒１９が介装されている。
【００２１】
ここで、前記空燃比センサ１８の構造及び空燃比検出原理について説明する。
図２に前記空燃比センサ１８の構造を示す。
前記空燃比センサ１８の本体１は、例えば酸素イオン伝導性を有するジルコニアＺｒ２Ｏ３等の耐熱性多孔質絶縁材料等で形成され、該本体１には、ヒータ部２が設けられる。
【００２２】
また、前記本体１には、大気（標準ガス）と連通する大気導入孔３、及び、ガス導入孔４及び保護層５を介して機関排気側と連通するガス拡散層６が設けられている。
【００２３】
センシング部電極７Ａ，７Ｂは、大気導入孔３とガス拡散層６とに臨んで設けられると共に、酸素ポンプ電極８Ａ，８Ｂは、ガス拡散層６とこれに対応する本体１の周囲とに設けられる。
【００２４】
前記センシング部電極７Ａ，７Ｂの間には、ガス拡散層６内の酸素イオン濃度（酸素分圧）と大気中の酸素イオン濃度との比に応じた電圧が発生し、該電圧に基づいてガス拡散層６内の空燃比の理論空燃比に対するリッチ・リーンが検出される。
【００２５】
一方、酸素ポンプ電極８Ａ，８Ｂには、センシング部電極７Ａ，７Ｂの間に発生する電圧、つまり、ガス拡散層６内のリッチ・リーンに応じて電圧が印加されるようになっている。
【００２６】
前記酸素ポンプ電極部８Ａ，８Ｂにおいては、所定の電圧が印加されると、これに応じてガス拡散層６内の酸素イオンが移動され、酸素ポンプ電極部８Ａ，８Ｂ間に電流が流れる。
【００２７】
ここで、酸素ポンプ電極部８Ａ，８Ｂ間に、所定電圧を印加したときに該電極間を流れる電流値（限界電流）Ｉｐは、排気中の酸素イオン濃度に影響されるので、電流値（限界電流）Ｉｐを検出することで空燃比を検出できることになる。
【００２８】
即ち、図３のテーブル（Ａ）に示すように、酸素ポンプ電極間の電流・電圧と、空燃比との相関関係が得られ、センシング部電極７Ａ，７Ｂのリッチ・リーン出力に基づいて酸素ポンプ電極部８Ａ，８Ｂに対する電圧の印加方向を反転させることで、リーン領域とリッチ領域との両方の空燃比領域において、酸素ポンプ電極部８Ａ，８Ｂ間を流れる電流値（限界電流）Ｉｐに基づき、空燃比を検出できる。
【００２９】
以上のような空燃比検出原理により、酸素ポンプ電極部間の電流値Ｉｐを検出して、例えば図３のテーブル（Ｂ）を参照すれば、空燃比を広範囲に検出することができる。
【００３０】
但し、空燃比センサ１８の構造及び空燃比検出原理を上記のものに限定するものではなく、理論空燃比に対するリッチ・リーンのみを検出する所謂ストイキセンサであっても良い。
【００３１】
ここで、前記図１の説明に戻る。
前記機関１１には、クランク軸の角度を検出するクランク角センサ２０が設けられており、コントロールユニット５０では、該クランク角センサ２０から機関回転と同期して出力されるクランク単位角信号を一定時間カウントして、又は、クランク基準角信号の周期を計測して機関回転速度Ｎｅを検出する。
【００３２】
前記コントロールユニット５０は、ＣＰＵ，ＲＯＭ，ＲＡＭ，Ａ／Ｄ変換器及び入出力インタフェイス等から構成されるマイクロコンピュータを含んでなり、前述の空燃比センサ１８、エアフローメータ１３、水温センサ１６、クランク角センサ２０等からの入力信号を受け、以下のようにして燃料噴射弁１５の燃料噴射量を制御する。
【００３３】
前記コントロールユニット５０は、エアフローメータ１３で検出される吸入空気流量Ｑａと、クランク角センサ２０の信号から求められる機関回転速度Ｎｅとから基本燃料噴射パルス幅Ｔｐ＝ｋ×Ｑａ／Ｎｅ（ｋは定数）を演算すると共に、低水温時に強制的にリッチ側に補正する水温補正係数Ｋｗ、始動及び始動後増量補正係数Ｋａｓ、空燃比フィードバック補正係数ＬＡＭＢＤＡ、電圧補正分Ｔｓ、目標空燃比に対応する目標当量比Ｚ等により、最終的な燃料噴射パルス幅Ｔｉ＝Ｔｐ×（１＋Ｋｗ＋Ｋａｓ＋・・・）×ＬＡＭＢＤＡ×Ｚ＋Ｔｓを演算する。
【００３４】
そして、この燃料噴射パルス幅Ｔｉが駆動パルス信号として前記燃料噴射弁１５に送られて、前記燃料噴射パルス幅Ｔｉから電圧補正分Ｔｓを除いた有効噴射パルス幅Ｔｅに比例する量の燃料が噴射される。
【００３５】
上記空燃比フィードバック補正係数ＬＡＭＢＤＡは、空燃比センサ１８が検出する実際の空燃比の目標空燃比からのズレを補正するための係数であり、これによって基本燃料パルス幅Ｔｐを補正することで、実際の空燃比を目標空燃比（例えば理論空燃比）に一致させる。
【００３６】
前記空燃比フィードバック補正係数ＬＡＭＢＤＡは、空燃比センサ１８で検出される実際の空燃比と目標空燃比との偏差に基づく比例・積分・微分制御によって設定される。
【００３７】
ここで、前記コントロールユニット５０には、本発明に係る空燃比センサの擬似劣化信号発生装置が内蔵されており、該擬似劣化信号発生装置を選択的に機能させることができるようになっている。
【００３８】
即ち、前記空燃比センサ１８の検出信号をそのまま用いて通常に空燃比フィードバック制御を行わせる状態と、機関制御仕様の開発・設計時において各種の制御変数を適合する作業のために、前記空燃比センサ１８の検出信号を擬似劣化信号発生装置で処理して空燃比フィードバック制御を行わせる状態とに切り換えられるようになっている。
【００３９】
また、空燃比センサ１８の擬似劣化信号を発生させるに当たって、コントロールユニット５０に対して外部から劣化度合いの要求を指示できるようになっている。
【００４０】
尚、前記劣化度合いは、例えば、走行距離１０万ｋｍ相当，走行距離２０万ｋｍ相当などの車両走行距離で指定される。
また、擬似劣化信号発生装置を機能させる場合の空燃比センサ１８は、新品の空燃比センサであり、劣化した状態の出力特性を示す劣化空燃比センサは用いない。
【００４１】
図４の制御ブロック図は、前記擬似劣化信号発生装置の処理内容を示す。
図４において、同定機構部１０１では、空燃比センサ（Ａ／Ｆセンサ）１８の検出信号と空燃比フィードバック補正係数ＬＡＭＢＤＡ（空燃比制御信号）とを入力して、燃料噴射弁１５から空燃比センサ１８までを制御対象としたプラントモデルの同定を行い、空燃比センサ１８の過渡応答を示す同定パラメータを出力する。
【００４２】
前記同定は、空燃比センサ（Ａ／Ｆセンサ）１８の検出信号を、擬似劣化させることなくそのまま用いて空燃比フィードバック制御している状態で行われる。
また、前記同定においては、燃料噴射弁１５から空燃比センサ１８までのプラントモデルを、例えば、ＡＲＸモデル（Ａｕｔｏ−Ｒｅｇｒｅｓｓｉｖｅ  ｅＸｏｇｅｎｅｏｕｓ  モデル）で記述し、該モデルの同定パラメータを、逐次最小２乗法（ｒｅｃｕｒｓｉｖｅ  ｌｅａｓｔ−ｓｑｕａｒｅｓ  ｍｅｔｈｏｄ）で推定する。
【００４３】
より具体的には、燃料噴射弁１５から空燃比センサ１８までのプラントモデルを、以下のように、２次のＡＲＸモデルとする。
【００４４】
【数１】
2004308488.tif 000003
ここで、
【００４５】
【数２】
2004308488.tif 000004
となる。
【００４６】
前記ＡＲＸモデルは、排気輸送に因るむだ時間が補償されたモデル、換言すれば、排気輸送時間がない場合のモデルであり、空燃比フィードバック補正係数ＬＡＭＢＤＡの変化（空燃比変化）に対する空燃比センサ１８の検出応答を示す。
【００４７】
ここで、前記むだ時間（排気輸送時間）は、吸入空気量，機関回転速度で変化するので、そのときの吸入空気量，機関回転速度に応じて設定する。
そして、前記同定パラメータａ１，ａ２，ｂ０を、逐次最小２乗法を用いて調整するが、前記同定機構１０１部は、前記同定パラメータの中で空燃比センサ１８の過渡応答を端的に表す同定パラメータｂ０のみを出力する。
【００４８】
一方、基準空燃比センサ応答特性部１０２には、予め機関１１の負荷Ｔｐと回転速度Ｎｅとを変数として、基準の空燃比センサ（基準の応答特性を示す新品センサ）を用いたときの前記同定パラメータｂ０が記憶されており、そのときの負荷Ｔｐと回転速度Ｎｅとに対応する同定パラメータｂ０を、ｂｋとして出力する。
【００４９】
尚、本実施形態では、機関負荷を代表するパラメータとして、基本燃料噴射パルス幅Ｔｐを用いるが、スロットル開度やシリンダ吸入空気量や吸入負圧などを用いる構成としても良い。
【００５０】
パラメータ補正係数算出部１０３では、同定機構部１０１から出力される、そのときに装着されている空燃比センサ１８の過渡応答を示す同定パラメータｂ０と、基準空燃比センサ応答特性部１０２から出力される、現在の運転条件（負荷・回転速度）で基準空燃比センサを用いたときの過渡応答を示す同定パラメータｂｋとの比として、パラメータ補正係数（＝ｂ０／ｂｋ）を算出する。
【００５１】
一方、劣化Ｍ定数マップ１０４には、要求劣化度合い（走行距離１０万ｋｍ相当，走行距離２０万ｋｍ相当など）毎に劣化モジュール定数ｂＭが記憶されており、そのときの要求の劣化度合いに応じて対応する劣化モジュール定数ｂＭを出力する。
【００５２】
前記劣化モジュール定数ｂＭは、前記基準空燃比センサが所定の劣化度合いになった場合における前記同定パラメータｂ０に相当する。
劣化Ｍ定数補正部１０５では、前記パラメータ補正係数ｂ０／ｂｋで前記劣化モジュール定数ｂＭを補正することで、空燃比センサ１８のばらつきによる空燃比センサ１８と基準空燃比センサとの過渡応答の違いを補償する。
【００５３】
そして、前記劣化Ｍ定数補正部１０５から出力される補正後の劣化モジュール定数ｂＭに基づいて、空燃比センサ１８の検出信号を補正することで、要求の劣化度合いに見合う応答遅れを示す擬似劣化信号を発生させる。
【００５４】
基準の空燃比センサと実際に機関に取り付けた空燃比センサ１８とが同じ過渡応答を示す場合には、前記パラメータ補正係数ｂ０／ｂｋは１になって、前記劣化モジュール定数ｂＭが補正されることなくそのまま用いられることになるが、空燃比センサ１８にばらつきがあると、該ばらつき分だけ前記劣化モジュール定数ｂＭが修正される。
【００５５】
例えば、実際に機関１に取り付けた空燃比センサ１８が、基準の空燃比センサよりも過渡応答が遅いセンサであると、前記劣化モジュール定数ｂＭを補正せずにそのまま用いて空燃比センサ１８の検出信号を補正すると、要求の劣化度合いよりも劣化度合いが進んだ、換言すれば、要求の劣化状態よりも遅れが大きな擬似劣化信号を発生させることになる。
【００５６】
逆に、実際に機関１の取り付けた空燃比センサ１８が、基準の空燃比センサよりも過渡応答が速いセンサであると、前記劣化モジュール定数ｂＭを補正せずにそのまま用いて空燃比センサ１８の検出信号を補正すると、要求の劣化度合いよりも劣化度合いが小さい、換言すれば、要求の劣化状態よりも遅れが小さな擬似劣化信号を発生させることになる。
【００５７】
そこで、前記同定機構部１０１では、実際に機関１に取り付けた空燃比センサ１８の過渡応答を検出し、基準空燃比センサ応答特性部１０２では、同じ運転条件（負荷・回転）での基準空燃比センサの過渡応答を設定し、この過渡応答の違いに基づいて劣化モジュール定数ｂＭ（補正特性）を修正することで、機関１に取り付けた空燃比センサ１８の過渡応答にばらつきがあっても、要求の劣化度合いに見合う一定の応答遅れを示す擬似劣化信号を発生させることができるようにしてある。
【００５８】
図５のフローチャートは、前記同定機構部１０１，基準空燃比センサ応答特性部１０２，パラメータ補正係数算出部１０３，劣化Ｍ定数マップ１０４による処理の流れを示すものである。
【００５９】
ステップＳ１では、空燃比センサ１８の検出信号をそのまま用いて空燃比フィードバック制御が行われている状態であるか否かを判別し、空燃比フィードバック制御中であれば、ステップＳ２へ進む。
【００６０】
ステップＳ２では、そのときの空燃比フィードバック補正係数と空燃比センサ１８の検出信号とから同定パラメータｂ０の算出を行わせる。
ステップＳ３では、機関負荷Ｔｐと機関回転速度Ｎｅとに基づいてマップを参照して、基準の空燃比センサ１８を用いたときの同定パラメータｂ０であるｂｋを検索する。
【００６１】
ステップＳ４では、前記同定パラメータｂ０と同定パラメータｂｋとの比ｂ０／ｂｋ、即ち、実際の空燃比センサ１８の過渡応答と、基準の空燃比センサの過渡応答との比を、補正係数として算出する。
【００６２】
ステップＳ５では、劣化度合いの要求に基づいて劣化モジュール定数ｂＭ（補正特性）を算出する。
ステップＳ６では、前記劣化モジュール定数ｂＭに前記補正係数ｂ０／ｂｋを乗算して、補正後の劣化モジュール定数ｂＭを求める。
【００６３】
前記劣化Ｍ定数補正部１０５で補正された劣化モジュール定数ｂＭは、空燃比センサ１８の検出信号を入力する擬似劣化信号生成部１０６に出力され、擬似劣化信号生成部１０６では、前記劣化モジュール定数ｂＭに基づいて、空燃比センサ１８の検出信号を補正することで、要求の劣化度合いに対応する過渡遅れを強制的に生じさせる。
【００６４】
前記補正は、検出信号に遅れ（一次遅れ）を生じさせる補正であり、例えば時定数の異なる複数のローパスフィルタ（アナログ遅延回路）を備え、これらの中から空燃比センサ１８の検出信号を通過させるローパスフィルタを前記劣化モジュール定数ｂＭに応じて選択する構成や、検出信号の加重平均演算を前記劣化モジュール定数ｂＭに応じた加重重みで行わせる。
【００６５】
前記擬似劣化信号生成部１０６から出力される擬似劣化信号、即ち、要求の劣化度合いに見合う過渡遅れを示す検出信号は、空燃比フィードバック制御に用いられる。
【００６６】
これにより、新品の空燃比センサ１８を用いながら、空燃比センサ１８が劣化した状態での空燃比フィードバック制御状態がシミュレーションされる。
そして、このときの機関運転状態（排気性状など）から、劣化状態を考慮した各種制御パラメータの適合を行わせる。
【００６７】
上記のように、新品の空燃比センサ１８の検出信号を擬似的に劣化させる構成であれば、劣化特性の空燃比センサを製造する必要がなく、要求の応答劣化度合いでの空燃比検出を行わせることができ、空燃比センサが劣化した状態での適合作業を、低コストにかつ精度良く行える。
【００６８】
更に、上記のように、機関１１に装着した空燃比センサ１８と基準空燃比センサとの過渡応答の違いに応じた修正を遅れ補正に加える構成としたことで、機関１１に装着する空燃比センサ１８に過渡応答のばらつきがあっても、要求の劣化度合いに対して、一定の過渡遅れを示す擬似劣化信号を発生させることができる。
【００６９】
尚、上記実施形態では、擬似劣化信号発生装置を前記コントロールユニット５０に内蔵させる構成としたが、空燃比センサ１８とコントロールユニット５０との間に別体の擬似劣化信号発生装置を介装させる構成としても良い。
【００７０】
ここで、上記実施形態から把握し得る請求項以外の技術思想について、以下にその効果と共に記載する。
（イ）請求項１〜３記載の空燃比センサの擬似劣化信号発生装置において、
前記補正特性としての加重重みで前記空燃比センサの検出信号を加重平均することで、前記要求の劣化度合いに対応する過渡遅れを強制的に生じさせることを特徴とする空燃比センサの擬似劣化信号発生装置。
【００７１】
かかる構成によると、空燃比センサの検出信号を加重平均することで、要求の劣化度合いに対応する過渡遅れを生じさせる。
従って、演算処理のみによって、要求の劣化度合いに対応する過渡遅れを強制的に生じさせることができる。
（ロ）請求項１〜３記載の空燃比センサの擬似劣化信号発生装置において、
相互に時定数の異なる複数のアナログ遅延回路を備え、前記補正特性としての時定数に応じて選択されるアナログ遅延回路に前記空燃比センサの検出信号を通過させることで、前記要求の劣化度合いに対応する過渡遅れを強制的に生じさせることを特徴とする空燃比センサの擬似劣化信号発生装置。
【００７２】
かかる構成によると、複数のアナログ遅延回路（例えばローパスフィルタ）の中から、要求の劣化度合いに対応する時定数の回路を選択し、該選択した回路に空燃比センサの検出信号を通過させることで、要求の劣化度合いに見合う過渡応答の遅れを生じさせる。
【００７３】
従って、ＣＰＵ等を用いない簡便な構成で、擬似劣化信号発生装置を構成することができる。
（ハ）請求項１〜３のいずれか１つに記載の空燃比センサの擬似劣化信号発生装置において、
前記要求の劣化度合いが、走行距離に基づいて指定されることを特徴とする空燃比センサの擬似劣化信号発生装置。
【００７４】
かかる構成によると、センサの劣化度合いが、例えば１０万ｋｍ相当や２０万ｋｍ相当などの走行距離に基づいて指定され、該走行距離での標準的なセンサ劣化に見合う過渡遅れを強制的に生じさせる。
【００７５】
従って、ある走行距離を走行した状態でのセンサの劣化状態をシミュレーションでき、走行距離を基準とする適合作業を容易に行える。
【図面の簡単な説明】
【図１】実施形態における内燃機関のシステム構成図。
【図２】空燃比センサの構造図。
【図３】空燃比センサの空燃比検出原理を説明するための図。
【図４】実施形態における擬似劣化信号発生装置の制御ブロック図。
【図５】実施形態における擬似劣化信号発生制御を示すフローチャート。
【符号の説明】
１１…内燃機関、１３…エアフローメータ、１５…燃料噴射弁、１７…排気マニホールド、１８…空燃比センサ、２０…クランク角センサ、５０…コントロールユニット
【図１】
2004308488.tif 000005
【図２】
2004308488.tif 000006
【図３】
2004308488.tif 000007
【図４】
2004308488.tif 000008
【図５】
2004308488.tif 000009